(57)【要約】      （修正有）【課題】壁に掛けられた書画を取り替えられる大型工芸額縁を提供する。【解決手段】額縁１１を含み、前記額縁の中には昇降チャンバ１２が設置され、前記昇降チャンバの中には昇降板１３が上下にスライドできるように設置され、前記昇降板の中には前方へ開口した書画チャンバ１４が設置され、前記昇降チャンバの前壁には前方へ開口したガラスチャンバが連通するように設置され、前記ガラスチャンバの中にはガラスが固定的に設置され、前記昇降板の上側には伸縮装置１０１が設置され、前記昇降板の左右両側には支え装置１０２が対称的に設置され、前記昇降板の下側には反転板装置１０３が設置され、前記昇降板の後側には手動装置が設置され、本装置により大型額縁にある書画を取り替えられ、額縁を取り外す必要はなく、操作が簡単だけではなく、額縁を取り外す時に額縁を傷つけることを防止する。【選択図】図１
2020182801.tif 000002
【特許請求の範囲】
【請求項１】
正面視で、額縁を含み、前記額縁の中には昇降チャンバが設置され、前記昇降チャンバの中には昇降板が上下にスライドできるように設置され、前記昇降板の中には前方へ開口した書画チャンバが設置され、前記昇降チャンバの前壁には前方へ開口したガラスチャンバが連通するように設置され、前記ガラスチャンバの中にはガラスが固定的に設置され、前記昇降板の上側には伸縮装置が設置され、前記伸縮装置は前記昇降板を制御して昇降させることができ、書画の取り替えに便利を与え、前記昇降板の左右両側には支え装置が対称的に設置され、前記支え装置は前記昇降板を支えることができ、前記昇降板の重量を減らし、前記伸縮装置を損なうことを防止し、前記昇降板の下側には反転板装置が設置され、前記反転板装置は前記昇降チャンバを密封する機能を有し、同時に本装置の復帰に制御機能を有し、前記昇降板の後側には手動装置が設置され、前記手動装置は前記支え装置と前記反転板装置とを連動させて作動させ、また前記伸縮装置を始動することができ、前記支え装置は前記昇降チャンバの左右両側に対称的に、且つ連通するように設置されたスライド板チャンバを含み、前記スライド板チャンバの中にはスライド板がスライドできるように設置され、前記スライド板のうち対称中心から離れている一端と前記スライド板チャンバの内壁との間には押圧バネが固定的に連結され、前記スライド板の相対した端面には支えブロックが上下に均一的に分布しており、且つ固定的に設置され、前記昇降板の左右両端面の中には開口が逆である凹溝が対称的に設置され、前記凹溝の位置と数が前記支えブロックと対応しており、前記スライド板チャンバの上下壁には第一引っ掛かりブロックチャンバが対称的に、且つ連通するように設置され、前記第一引っ掛かりブロックチャンバの中には第一引っ掛かりブロックがスライドできるように設置され、前記第一引っ掛かりブロックのうち上下の対称中心から離れている一端と前記第一引っ掛かりブロックチャンバの内壁との間には固定バネが固定的に連結され、前記スライド板の上下端には開口が逆である第一引っ掛かり溝が対称的に設置されたことを特徴とする壁に掛けられた書画を取り替えられる大型工芸額縁。
【請求項２】
前記伸縮装置は、前記昇降チャンバの上壁に左右対称的に、且つ連通するように設置された主動スライド溝を含み、前記主動スライド溝の中にはネジロッドが回転できるように設置され、前記主動スライド溝の間には動力チャンバが設置され、前記ネジロッドの相対した一端が前記動力チャンバの中に伸びており、且つ前記ネジロッドの相対した一端には従動ベベルギヤが固定的に設置され、前記動力チャンバの中の上側には昇降ブロックがスライドできるように設置され、前記昇降ブロックの中にはモータが固定的に設置され、前記モータの下端には前記従動ベベルギヤと噛み合うことができる主動ベベルギヤが動力が伝達できるように連結され、前記昇降ブロックが前記手動装置に連結され、前記昇降ブロックが左右両側の前記従動ベベルギヤと噛み合うまで下降することができ、前記主動スライド溝の中には前記ネジロッドにネジ山により連結された主動スライダがスライドできるように設置され、前記主動スライダの下端には伸縮ロッドがヒンジにより連結され、前記昇降板の上端面には従動スライド溝が設置され、前記従動スライド溝の中には従動スライダが左右対称的に、且つスライドできるように設置され、前記伸縮ロッドの下端が互い違いになり、且つ前記従動スライダの上端にヒンジにより連結され、前記伸縮ロッドの交わったところが回転できるように連結されたことを特徴とする請求項１に記載の壁に掛けられた書画を取り替えられる大型工芸額縁。
【請求項３】
前記反転板装置は、前記昇降チャンバの下側に連通するように設置され、且つ下方へ開口した開口チャンバを含み、前記開口チャンバの中には反転板が左右対称的に設置され、前記反転板のうち対称中心から離れている一端が前記開口チャンバの前後壁に回転できるように連結され、前記反転板のうち対称中心から離れている一端には開口が逆である第二引っ掛かり溝が設置され、前記開口チャンバの左右両壁には第二引っ掛かりブロックチャンバが対称的に、且つ連通するように設置され、前記第二引っ掛かりブロックチャンバの中には第二引っ掛かりブロックがスライドできるように設置され、前記第二引っ掛かりブロックが前記第二引っ掛かり溝の中に伸びて前記反転板を引っかからせ、且つ前記反転板の水平を保つことができ、前記第二引っ掛かりブロックのうち対称中心から離れている一端と前記第二引っ掛かりブロックチャンバの内壁との間には圧縮バネが固定的に連結され、前記圧縮バネの弾性が前記固定バネの弾性より大きく、前記第二引っ掛かりブロックのうち対称中心から離れている一端には第一引き糸と第二引き糸とが固定的に連結され、前記第一引き糸が二つに分かれ、且つ前記第一引っ掛かりブロックのうち上下の対称中心から離れている一端に固定的に連結され、前記第二引き糸が前記手動装置に連結されたことを特徴とする請求項１に記載の壁に掛けられた書画を取り替えられる大型工芸額縁。
【請求項４】
前記手動装置は前記昇降チャンバの後側に設置された引き動かしチャンバを含み、前記引き動かしチャンバの中には引き動かし板がスライドできるように設置され、前記引き動かし板の下端と前記引き動かしチャンバの下壁との間には復帰バネが固定的に連結され、前記引き動かし板の下端には外部空間に伸びている引きひもが固定的に連結され、前記第二引き糸が前記引きひもに固定的に連結され、前記引き動かしチャンバの左右両壁には伝動チャンバが対称的に、且つ連通するように設置され、前記伝動チャンバの中には前記引き動かし板の下端にヒンジにより連結されたコンロッドが設置され、前記コンロッドのうち前記引き動かし板から離れている一端が前記スライド板の相対した側の端面にヒンジにより連結され、前記引き動かしチャンバと前記動力チャンバとの間にはコンロッドチャンバが連通するように設置され、前記引き動かし板の前端には前記コンロッドチャンバを通り抜けており、且つ前記昇降ブロックの後端に固定的に連結された連動ロッドが固定的に連結されたことを特徴とする請求項１に記載の壁に掛けられた書画を取り替えられる大型工芸額縁。
【発明の詳細な説明】
【技術分野】
【０００１】
本発明は工芸品技術分野を取り上げて、具体的には壁に掛けられた書画を取り替えられる大型工芸額縁である。
【背景技術】
【０００２】
多くの家庭の中、工芸額縁に書画を入れてまた工芸額縁を壁に掛け、美観性を上げ、書画を取り替えようとすると、多くの額縁は一緒に替えられる必要があり、これはすごくもったいなく、大型の額縁に対し、取り替えられる額縁も取り外されてから書画を取り替えることができ、額縁がぶつかって壊れやすく、美観に影響し、そのため、壁に掛けられた書画を取り替えられる大型工芸額縁が必要であり、本装置により大型額縁にある書画を取り替えられ、額縁を取り外す必要はなく、操作が簡単だけではなく、額縁を取り外す時に額縁を傷つけることを防止する。
【先行技術文献】
【特許文献】
【０００３】
【特許文献１】中国特許出願公開第１０４４９０１８０号明細書
【発明の概要】
【発明が解決しようとする課題】
【０００４】
本発明は壁に掛けられた書画を取り替えられる大型工芸額縁を提供し、従来技術における上記欠点を解消することを目的とする。  
【課題を解決するための手段】
【０００５】
本発明の壁に掛けられた書画を取り替えられる大型工芸額縁は、額縁を含み、前記額縁の中には昇降チャンバが設置され、前記昇降チャンバの中には昇降板が上下にスライドできるように設置され、前記昇降板の中には前方へ開口した書画チャンバが設置され、前記昇降チャンバの前壁には前方へ開口したガラスチャンバが連通するように設置され、前記ガラスチャンバの中にはガラスが固定的に設置され、前記昇降板の上側には伸縮装置が設置され、前記伸縮装置は前記昇降板を制御して昇降させることができ、書画の取り替えに便利を与え、前記昇降板の左右両側には支え装置が対称的に設置され、前記支え装置は前記昇降板を支えることができ、前記昇降板の重量を減らし、前記伸縮装置を損なうことを防止し、前記昇降板の下側には反転板装置が設置され、前記反転板装置は前記昇降チャンバを密封する機能を有し、同時に本装置の復帰に制御機能を有し、前記昇降板の後側には手動装置が設置され、前記手動装置は前記支え装置と前記反転板装置とを連動させて作動させ、また前記伸縮装置を始動することができ、前記支え装置は前記昇降チャンバの左右両側に対称的に、且つ連通するように設置されたスライド板チャンバを含み、前記スライド板チャンバの中にはスライド板がスライドできるように設置され、前記スライド板のうち対称中心から離れている一端と前記スライド板チャンバの内壁との間には押圧バネが固定的に連結され、前記スライド板の相対した端面には支えブロックが上下に均一的に分布しており、且つ固定的に設置され、前記昇降板の左右両端面の中には開口が逆である凹溝が対称的に設置され、前記凹溝の位置と数が前記支えブロックと対応しており、前記スライド板チャンバの上下壁には第一引っ掛かりブロックチャンバが対称的に、且つ連通するように設置され、前記第一引っ掛かりブロックチャンバの中には第一引っ掛かりブロックがスライドできるように設置され、前記第一引っ掛かりブロックのうち上下の対称中心から離れている一端と前記第一引っ掛かりブロックチャンバの内壁との間には固定バネが固定的に連結され、前記スライド板の上下端には開口が逆である第一引っ掛かり溝が対称的に設置された。
【０００６】
更の技術プランとしては、前記伸縮装置は、前記昇降チャンバの上壁に左右対称的に、且つ連通するように設置された主動スライド溝を含み、前記主動スライド溝の中にはネジロッドが回転できるように設置され、前記主動スライド溝の間には動力チャンバが設置され、前記ネジロッドの相対した一端が前記動力チャンバの中に伸びており、且つ前記ネジロッドの相対した一端には従動ベベルギヤが固定的に設置され、前記動力チャンバの中の上側には昇降ブロックがスライドできるように設置され、前記昇降ブロックの中にはモータが固定的に設置され、前記モータの下端には前記従動ベベルギヤと噛み合うことができる主動ベベルギヤが動力が伝達できるように連結され、前記昇降ブロックが前記手動装置に連結され、前記昇降ブロックが左右両側の前記従動ベベルギヤと噛み合うまで下降することができ、前記主動スライド溝の中には前記ネジロッドにネジ山により連結された主動スライダがスライドできるように設置され、前記主動スライダの下端には伸縮ロッドがヒンジにより連結され、前記昇降板の上端面には従動スライド溝が設置され、前記従動スライド溝の中には従動スライダが左右対称的に、且つスライドできるように設置され、前記伸縮ロッドの下端が互い違いになり、且つ前記従動スライダの上端にヒンジにより連結され、前記伸縮ロッドの交わったところが回転できるように連結された。
【０００７】
更の技術プランとしては、前記反転板装置は、前記昇降チャンバの下側に連通するように設置され、且つ下方へ開口した開口チャンバを含み、前記開口チャンバの中には反転板が左右対称的に設置され、前記反転板のうち対称中心から離れている一端が前記開口チャンバの前後壁に回転できるように連結され、前記反転板のうち対称中心から離れている一端には開口が逆である第二引っ掛かり溝が設置され、前記開口チャンバの左右両壁には第二引っ掛かりブロックチャンバが対称的に、且つ連通するように設置され、前記第二引っ掛かりブロックチャンバの中には第二引っ掛かりブロックがスライドできるように設置され、前記第二引っ掛かりブロックが前記第二引っ掛かり溝の中に伸びて前記反転板を引っかからせ、且つ前記反転板の水平を保つことができ、前記第二引っ掛かりブロックのうち対称中心から離れている一端と前記第二引っ掛かりブロックチャンバの内壁との間には圧縮バネが固定的に連結され、前記圧縮バネの弾性が前記固定バネの弾性より大きく、前記第二引っ掛かりブロックのうち対称中心から離れている一端には第一引き糸と第二引き糸とが固定的に連結され、前記第一引き糸が二つに分かれ、且つ前記第一引っ掛かりブロックのうち上下の対称中心から離れている一端に固定的に連結され、前記第二引き糸が前記手動装置に連結された。
【０００８】
更の技術プランとしては、前記手動装置は前記昇降チャンバの後側に設置された引き動かしチャンバを含み、前記引き動かしチャンバの中には引き動かし板がスライドできるように設置され、前記引き動かし板の下端と前記引き動かしチャンバの下壁との間には復帰バネが固定的に連結され、前記引き動かし板の下端には外部空間に伸びている引きひもが固定的に連結され、前記第二引き糸が前記引きひもに固定的に連結され、前記引き動かしチャンバの左右両壁には伝動チャンバが対称的に、且つ連通するように設置され、前記伝動チャンバの中には前記引き動かし板の下端にヒンジにより連結されたコンロッドが設置され、前記コンロッドのうち前記引き動かし板から離れている一端が前記スライド板の相対した側の端面にヒンジにより連結され、前記引き動かしチャンバと前記動力チャンバとの間にはコンロッドチャンバが連通するように設置され、前記引き動かし板の前端には前記コンロッドチャンバを通り抜けており、且つ前記昇降ブロックの後端に固定的に連結された連動ロッドが固定的に連結され、前記引き動かし板は前記連動ロッドにより前記昇降ブロックを連動させて同期昇降させることができる。
【発明の効果】
【０００９】
本発明の有益効果は：本発明は構成が簡単で、操作が便利で、本装置により大型額縁にある書画を取り替えられ、額縁を取り外す必要はなく、操作が簡単だけではなく、額縁を取り外す時に額縁を傷つけることを防止する。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の壁に掛けられた書画を取り替えられる大型工芸額縁の内部全体構成模式図
【図２】図２は図１の「Ａ―Ａ」方向の構成模式図
【図３】図３は図２の「Ｂ―Ｂ」方向の構成模式図
【図４】図４は図１の「Ｃ」の拡大模式図
【図５】図５は図１の「Ｄ」の拡大模式図
【発明を実施するための形態】
【００１２】
図１〜５を参照し、本発明の壁に掛けられた書画を取り替えられる大型工芸額縁は、額縁１１を含み、前記額縁１１の中には昇降チャンバ１２が設置され、前記昇降チャンバ１２の中には昇降板１３が上下にスライドできるように設置され、前記昇降板１３の中には前方へ開口した書画チャンバ１４が設置され、前記昇降チャンバ１２の前壁には前方へ開口したガラスチャンバ１５が連通するように設置され、前記ガラスチャンバ１５の中にはガラス１６が固定的に設置され、前記昇降板１３の上側には伸縮装置１０１が設置され、前記伸縮装置１０１は前記昇降板１３を制御して昇降させることができ、書画の取り替えに便利を与え、前記昇降板１３の左右両側には支え装置１０２が対称的に設置され、前記支え装置１０２は前記昇降板１３を支えることができ、前記昇降板１３の重量を減らし、前記伸縮装置１０１を損なうことを防止し、前記昇降板１３の下側には反転板装置１０３が設置され、前記反転板装置１０３は前記昇降チャンバ１２を密封する機能を有し、同時に本装置の復帰に制御機能を有し、前記昇降板１３の後側には手動装置１０４が設置され、前記手動装置１０４は前記支え装置１０２と前記反転板装置１０３とを連動させて作動させ、また前記伸縮装置１０１を始動することができ、前記支え装置１０２は前記昇降チャンバ１２の左右両側に対称的に、且つ連通するように設置されたスライド板チャンバ１７を含み、前記スライド板チャンバ１７の中にはスライド板１８がスライドできるように設置され、前記スライド板１８のうち対称中心から離れている一端と前記スライド板チャンバ１７の内壁との間には押圧バネ１９が固定的に連結され、前記スライド板１８の相対した端面には支えブロック２０が上下に均一的に分布しており、且つ固定的に設置され、前記昇降板１３の左右両端面の中には開口が逆である凹溝２１が対称的に設置され、前記凹溝２１の位置と数が前記支えブロック２０と対応しており、前記スライド板チャンバ１７の上下壁には第一引っ掛かりブロックチャンバ２２が対称的に、且つ連通するように設置され、前記第一引っ掛かりブロックチャンバ２２の中には第一引っ掛かりブロック２３がスライドできるように設置され、前記第一引っ掛かりブロック２３のうち上下の対称中心から離れている一端と前記第一引っ掛かりブロックチャンバ２２の内壁との間には固定バネ２４が固定的に連結され、前記スライド板１８の上下端には開口が逆である第一引っ掛かり溝２５が対称的に設置された。
【００１３】
有益的には、前記伸縮装置１０１は、前記昇降チャンバ１２の上壁に左右対称的に、且つ連通するように設置された主動スライド溝２６を含み、前記主動スライド溝２６の中にはネジロッド２７が回転できるように設置され、前記主動スライド溝２６の間には動力チャンバ２８が設置され、前記ネジロッド２７の相対した一端が前記動力チャンバ２８の中に伸びており、且つ前記ネジロッド２７の相対した一端には従動ベベルギヤ２９が固定的に設置され、前記動力チャンバ２８の中の上側には昇降ブロック３０がスライドできるように設置され、前記昇降ブロック３０の中にはモータ３１が固定的に設置され、前記モータ３１の下端には前記従動ベベルギヤ２９と噛み合うことができる主動ベベルギヤ３２が動力が伝達できるように連結され、前記昇降ブロック３０が前記手動装置１０４に連結され、前記昇降ブロック３０が左右両側の前記従動ベベルギヤ２９と噛み合うまで下降することができ、前記主動スライド溝２６の中には前記ネジロッド２７にネジ山により連結された主動スライダ３３がスライドできるように設置され、前記主動スライダ３３の下端には伸縮ロッド３４がヒンジにより連結され、前記昇降板１３の上端面には従動スライド溝３５が設置され、前記従動スライド溝３５の中には従動スライダ３６が左右対称的に、且つスライドできるように設置され、前記伸縮ロッド３４の下端が互い違いになり、且つ前記従動スライダ３６の上端にヒンジにより連結され、前記伸縮ロッド３４の交わったところが回転できるように連結された。
【００１４】
有益的には、前記反転板装置１０３は、前記昇降チャンバ１２の下側に連通するように設置され、且つ下方へ開口した開口チャンバ５４を含み、前記開口チャンバ５４の中には反転板３７が左右対称的に設置され、前記反転板３７のうち対称中心から離れている一端が前記開口チャンバ５４の前後壁に回転できるように連結され、前記反転板３７のうち対称中心から離れている一端には開口が逆である第二引っ掛かり溝３８が設置され、前記開口チャンバ５４の左右両壁には第二引っ掛かりブロックチャンバ３９が対称的に、且つ連通するように設置され、前記第二引っ掛かりブロックチャンバ３９の中には第二引っ掛かりブロック４０がスライドできるように設置され、前記第二引っ掛かりブロック４０が前記第二引っ掛かり溝３８の中に伸びて前記反転板３７を引っかからせ、且つ前記反転板３７の水平を保つことができ、前記第二引っ掛かりブロック４０のうち対称中心から離れている一端と前記第二引っ掛かりブロックチャンバ３９の内壁との間には圧縮バネ４１が固定的に連結され、前記圧縮バネ４１の弾性が前記固定バネ２４の弾性より大きく、前記第二引っ掛かりブロック４０のうち対称中心から離れている一端には第一引き糸４２と第二引き糸４５とが固定的に連結され、前記第一引き糸４２が二つに分かれ、且つ前記第一引っ掛かりブロック２３のうち上下の対称中心から離れている一端に固定的に連結され、前記第二引き糸４５が前記手動装置１０４に連結された。
【００１５】
有益的には、前記手動装置１０４は前記昇降チャンバ１２の後側に設置された引き動かしチャンバ４６を含み、前記引き動かしチャンバ４６の中には引き動かし板４７がスライドできるように設置され、前記引き動かし板４７の下端と前記引き動かしチャンバ４６の下壁との間には復帰バネ４８が固定的に連結され、前記引き動かし板４７の下端には外部空間に伸びている引きひも４９が固定的に連結され、前記第二引き糸４５が前記引きひも４９に固定的に連結され、前記引き動かしチャンバ４６の左右両壁には伝動チャンバ５０が対称的に、且つ連通するように設置され、前記伝動チャンバ５０の中には前記引き動かし板４７の下端にヒンジにより連結されたコンロッド５１が設置され、前記コンロッド５１のうち前記引き動かし板４７から離れている一端が前記スライド板１８の相対した側の端面にヒンジにより連結され、前記引き動かしチャンバ４６と前記動力チャンバ２８との間にはコンロッドチャンバ５２が連通するように設置され、前記引き動かし板４７の前端には前記コンロッドチャンバ５２を通り抜けており、且つ前記昇降ブロック３０の後端に固定的に連結された連動ロッド５３が固定的に連結され、前記引き動かし板４７は前記連動ロッド５３により前記昇降ブロック３０を連動させて同期昇降させることができる。
【００１６】
初期状態において、額縁１１の後端面が壁に固定され、昇降板１３が最大限に昇降チャンバ１２の中に引っ込み、支えブロック２０が凹溝２１の中に伸びており、且つ昇降板１３を支え、反転板３７が水平状態にあり、昇降ブロック３０が上限位置に位置しており、主動ベベルギヤ３２が従動ベベルギヤ２９と噛み合っていなく、第一引っ掛かりブロック２３が第一引っ掛かりブロックチャンバ２２の中に引っ込んでいる。
【００１７】
壁に掛けられた書画を取り替える時、引きひも４９を下方へ引き、且つ引き動かし板４７を連動させて下降させ、連動ロッド５３により昇降ブロック３０を連動させて主動ベベルギヤ３２が従動ベベルギヤ２９と噛み合うまで下降させ、引き動かし板４７がコンロッド５１によりスライド板１８を推し動かして互いに離れさせ、支えブロック２０を連動させて凹溝２１から出させ、この時、第一引っ掛かり溝２５が第一引っ掛かりブロックチャンバ２２に相対し、引きひも４９が下方へ引かれると同時に第二引き糸４５を引き締め、第二引っ掛かりブロック４０を引き動かして互いに離れさせ、且つ第二引っ掛かり溝３８から出させ、反転板３７が鉛直状態まで反転し、この時、第一引き糸４２が放され、第一引っ掛かりブロック２３が固定バネ２４の弾力のもとで第一引っ掛かり溝２５の中に伸びてスライド板１８を引っ掛からせ、引きひも４９を放し、この時、第二引っ掛かりブロック４０が反転板３７と当接して復帰できなく、これによりスライド板１８と引き動かし板４７とがいずれも復帰できなく、モータ３１を始動して主動ベベルギヤ３２を連動させて回転させ、ギヤの噛み合いにより従動ベベルギヤ２９を連動させて回転させ、且つネジロッド２７を連動させて回転させ、ネジ山による連結を通じて主動スライダ３３を連動させて互いに近づかせて移動させ、伸縮ロッド３４により従動スライダ３６を連動させて互いに近づかせながら下降させ、更に昇降板１３を連動させて外部空間まで下降させ、この時、書画チャンバ１４の中の書画を取り替えることができ、復帰する時、モータ３１が逆方向へ回転して昇降板１３を復帰させ、この時、手で反転板３７を水平に反転させればよい。
【００１８】
本発明の有益効果は：本発明は構成が簡単で、操作が便利で、本装置により大型額縁にある書画を取り替えられ、額縁を取り外す必要はなく、操作が簡単だけではなく、額縁を取り外す時に額縁を傷つけることを防止する。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182801.tif 000003
【図２】
2020182801.tif 000004
【図３】
2020182801.tif 000005
【図４】
2020182801.tif 000006
【図５】
2020182801.tif 000007